(57)【要約】【課題】シュートスタブの長さを容易に調整することができるコネクタを提供する。【解決手段】第３円筒部２３で、スタブを構成する中心導体４を隙間を介して包囲する。中心導体４と第３円筒部２３とを導通させる調整ねじ７を第３円筒部２３内を移動可能に配置する。【選択図】図１
2008257966.tif 000002
【特許請求の範囲】
【請求項１】
スタブを構成する中心導体を隙間を介して包囲する円筒状の外部導体と、
前記外部導体内を移動可能であり、前記中心導体と前記外部導体とを導通させる移動部材と
を備えていることを特徴とするコネクタ。
【請求項２】
前記移動部材は、前記中心導体に接触する接触ばね片と、前記中心導体を通す孔とを有していることを特徴とする請求項１記載のコネクタ。
【請求項３】
前記外部導体の内周面に雌ねじが形成され、
前記移動部材の外周面に前記雌ねじにねじ込まれる雄ねじが形成されている
ことを特徴とする請求項１又は２記載のコネクタ。
【請求項４】
前記雌ねじに螺合する雄ねじを有し、前記外部導体内で前記移動部材を押圧して前記移動部材を固定する固定部材を備えていることを特徴とする請求項３記載のコネクタ。
【発明の詳細な説明】
【技術分野】
【０００１】
この発明はコネクタに関し、特にショートスタブに接続されるコネクタに関する。
【背景技術】
【０００２】
従来、Ｔ型アダプタとショートスタブとを備えるサージプロテクタが知られている（下記特許文献１参照）。
【０００３】
Ｔ型アダプタは、Ｔ字形に形成され、第１〜第３ポートを有する。第１〜第３ポートはそれぞれ円筒状である。第１ポートの先端部にはナット部が回転可能に装着されている。第１ポートはナット部を備える同軸プラグになっている。第２ポートは第１ポートに対して直角である。第２ポートの先端部の外周面にはネジ部が形成されている。第２ポートはネジ部を備える同軸コネクタになっている。第３ポートは第１ポートに対して直角であり、第２ポートと同一直線上に位置している。第３ポートの先端部の外周面にはネジ部が形成されている。第３ポートはネジ部を備える同軸コネクタになっている。
【０００４】
第１〜第３ポート内には中心導体がそれぞれ同軸に配置されている。これらの中心導体はＴ型アダプタのほぼ中心部に位置する接続点で互いに接続されている。
【０００５】
ショートスタブは本体部と中心導体とを備える。本体部の一端にはナット部を有するポートが備えられている。本体部の他端にはアース部が設けられている。
【０００６】
中心導体は本体部、ポート部及びアース部内に収容されている。中心導体の一端部のショート部はアース部から突出し、折り返されてアース部に接続されている。
【０００７】
第１のポートには例えば無線ＬＡＮのアクセスポイントが接続され、第２のポートには例えば無線ＬＡＮのアンテナへの同軸ケーブルが接続され、第３のポートには例えばショートスタブが接続される。
【０００８】
この場合、ショートスタブの中心導体は第３ポートの中心導体に導通し、Ｔ型アダプタの接続点からショートスタブの中心導体のショート部までの長さが、無線ＬＡＮの中心周波数λの約１／４又はその長さの奇数倍の長さとなるように設定される。
【０００９】
これにより、第１ポートと第２ポートとの間においては、無線ＬＡＮの信号はショートスタブの影響を受けることなく伝送される。また、無線ＬＡＮのアンテナに誘導された雷サージは第２ポートから入力されるが、第３ポートに接続されているショートスタブによってアースへバイパスされる。その結果、伝送ロスを生じさせることなく、第１のポートに接続されている無線ＬＡＮのアクセスポイントを雷サージから防御することができる。
【特許文献１】特開２００３−１２３９１６号公報（段落００１１〜００１２、図６参照）
【発明の開示】
【発明が解決しようとする課題】
【００１０】
上述のショートスタブをバンドパスフィルタとして用いることができる。
【００１１】
アナログ高周波で使用されるショートスタブ型のバンドパスフィルタでは、信号ライン導体から分岐したスタブの先端を接地させることで、ある周波数の信号をスタブ上で並列共振させ、見掛け上、この周波数の信号をグランドに落とすことなく導体を通過させることができる。ある周波数以外の周波数の信号はグランドに落ち、ＶＳＷＲ（電圧定在波比）が増加する。ＶＳＷＲが低ければ低いほど信号の品質は良い。
【００１２】
スタブの長さを変化させれば、スタブ周囲の浮遊容量が変化し、中心周波数（同調周波数）が変わる。
【００１３】
しかし、中心導体のショート部がアース部に接続（通常、半田付け）されているので、もし、中心導体の長さを変えようとすれば、ショート部をアース部から外し、例えば、ショート部の先端部を切断してショート部の長さを調整し、再度ショート部の先端をアース部に接続しなければならない。
【００１４】
このため、従来のショートスタブ型のバンドパスフィルタでは、スタブの長さを調整するようなことは行われず、従来のショートスタブ型のバンドパスフィルタは特定の周波数専用のバンドパスフィルタとして用いられている。
【００１５】
この発明はこのような事情に鑑みてなされたもので、その課題は、スタブの長さを容易に調整することができるコネクタを提供することである。
【課題を解決するための手段】
【００１６】
前述の課題を解決するため請求項１の発明のコネクタは、スタブを構成する中心導体を隙間を介して包囲する円筒状の外部導体と、前記外部導体内を移動可能であり、前記中心導体と前記外部導体とを導通させる移動部材とを備えていることを特徴とする。
【００１７】
上述のように、中心導体と外部導体とを導通させる移動部材は外部導体内で移動可能であるので、中心導体と移動部材との接触位置を変えることができ、スタブの長さを調整することができる。
【００１８】
請求項２の発明は、請求項１記載のコネクタにおいて、前記移動部材は、前記中心導体に接触する接触ばね片と、前記中心導体を通す孔とを有していることを特徴とする。
【００１９】
請求項３の発明は、請求項１又は２記載のコネクタにおいて、前記外部導体の内周面に雌ねじが形成され、前記移動部材の外周面に前記雌ねじにねじ込まれる雄ねじが形成されていることを特徴とする。
【００２０】
請求項４の発明は、請求項３記載のコネクタにおいて、前記雌ねじに螺合する雄ねじを有し、前記外部導体内で前記移動部材を押圧して前記移動部材を固定する固定部材を備えていることを特徴とする。
【発明の効果】
【００２１】
この発明によれば、シュートスタブの長さを容易に調整することができる。
【発明を実施するための最良の形態】
【００２２】
以下、この発明の実施の形態を図面に基づいて説明する。
【００２３】
図１はこの発明の第１実施形態に係るコネクタの片側断面図、図２は図１に示すコネクタを分解した状態の断面図、図３Ａは図１に示すコネクタの調整ねじの断面図、図３Ｂは同調整ねじの背面図である。
【００２４】
図１〜３に示すように、同軸コネクタ１は外郭部品２とソケットコンタクト３と中心導体４と調整ねじ（移動部材）７と固定ねじ（固定部材）８とを備える。
【００２５】
外郭部品２はＴ字形であり、第１円筒部２１と第２円筒部２２と第３円筒部（外部導体）２３とを有する。第１〜第３円筒部２１〜２３は金属で形成されている。外郭部品２は例えば同軸ケーブル（図示せず）のシールド線によってグランドに接続される。
【００２６】
第１円筒部２１の先端部の外周面には雄ねじ２１ａが形成されている。第１円筒部２１は小径孔２１ｂと大径孔２１ｃとを有する。第１円筒部２１の小径孔２１ｂと大径孔２１ｃとの境界部分には環状凸部２１ｄが形成されている。大径孔２１ｃには絶縁体５が挿入されている。絶縁体５は大径孔２１ｃと環状凸部２１ｄとで支持されている。絶縁体５には中心孔５ａが形成されている。
【００２７】
第２円筒部２２は第１円筒部２１と同一直線上に位置し、第１円筒部２１と一体に形成されている。第２円筒部２２の先端部の外周面には雄ねじ２２ａが形成されている。第２円筒部２２は小径孔２２ｂと大径孔２２ｃとを有する。第２円筒部２２の小径孔２２ｂと大径孔２２ｃとの境界部分には環状凸部２２ｄが形成されている。大径孔２２ｃには絶縁体６が挿入されている。絶縁体６は大径孔２２ｃと環状凸部２２ｄとで支持されている。絶縁体６には中心孔６ａが形成されている。
【００２８】
第３円筒部２３は第１、第２円筒部２１，２２に対して直角である。また、第３円筒部２３は第１円筒部２１と第２円筒部２２との境界部分に位置している。第３円筒部２３は第１、第２円筒部２１，２２と別体であり、ロウ付けにより第１、第２円筒部２１，２２と一体化されている。第３円筒部２３の内周面には雌ねじ２３ａが形成されている。第３円筒部２３は中心導体４を隙間を介して包囲する。
【００２９】
ソケットコンタクト３は管状である。ソケットコンタクト３の一端部に第１接触部３１が位置し、他端部に第２接触部３２が位置する。第１接触部３１には周方向に等間隔に４つのすり割り３１ａが形成されている。第１接触部３１は４つの接触ばね片３１ｂで構成されている。第１の接触部３１と同様に、第２接触部３２には周方向に等間隔に４つのすり割り３２ａが形成されている。第２接触部３２は４つの接触ばね片３２ｂで構成されている。ソケットコンタクト３の一端部は絶縁体５によって第１円筒部２１と同軸に支持され、ソケットコンタクト３の他端部は絶縁体６によって第２円筒部２２と同軸に支持されている。このように、ソケットコンタクト３は第１、第２円筒部２１，２２の中心導体である。第１接触部３１と第１円筒部２１とで第１ポート１Ａが構成され、第２接触部３２と第２円筒部２２とで第２ポート１Ｂが構成される。第１ポート１Ａには第１の接続対象物（図示せず）に接続された同軸ケーブルに結線されたプラグコネクタが接続され、第２ポート１Ｂには第２の接続対象物（図示せず）に接続された同軸ケーブルに結線されたプラグコネクタが接続される。
【００３０】
中心導体４はピン状であり、第３円筒部２３内に第３円筒部２３と同軸に収容されている。中心導体４はソケットコンタクト３に対して直角に延びている。中心導体４の一端部はソケットコンタクト３に半田付けされている。したがって、中心導体４はスタブとなる。
【００３１】
調整ねじ７は金属で形成され、ねじ本体７１と接触部７２とを有する（図３参照）。ねじ本体７１の外周面には雄ねじ７１ａが形成されている。雄ねじ７１ａは第３円筒部２３の雌ねじ２３ａに螺合する。雄ねじ７１ａが雌ねじ２３ａに螺合して調整ねじ７を介して中心導体４と第３円筒部２３とが導通する。雄ねじ７１ａが雌ねじ２３ａに螺合した状態でねじ本体７１を左に回転させたり、右に回転させたりすると、調整ねじ７は第３円筒部２３内でソケットコンタクト３に近づいたり、ソケットコンタクト３から離れたりする。ねじ本体７１の中心部には小径孔７１ｂと大径孔７１ｃとが形成されている。調整ねじ７が第３円筒部２３内に挿入されたときに、小径孔７１ｂは中心導体４の一部を摺動可能に保持し、大径孔７１ｃは中心導体４に接触しない。小径孔７１ｂと大径孔７１ｃとで中心導体４を通す孔７１ｄが構成されている。ねじ本体７１の後端面には溝７１ｅが形成されている。溝７１ｅはねじ回し９の先端部を受け容れる。
【００３２】
接触部７２はねじ本体７１の先端面に一体に形成されている。接触部７２には４つのすり割り７２ａが周方向へ等間隔に形成されている。接触部７２は４つの接触ばね片７２ｂで構成されている。調整ねじ７が第３円筒部２３内に挿入されたときに、４つの接触ばね片７２ｂは中心導体４を囲むとともに中心導体４と接触する。中心導体４は調整ねじ７を介して第３円筒部２３に導通する。したがって、ショートスタブが構成されている。
【００３３】
固定ねじ８はねじ部８１とキャップ部８２とを有する。図２に示すように、ねじ部８１はほぼ軸状であり、ねじ部８１の外周面には雄ねじ８１ａが形成されている。雄ねじ８１ａは第３円筒部２３の雌ねじ２３ａと螺合する。ねじ部８１の中心部には受容穴８１ｂが形成されている。受容穴８１ｂはねじ部８１が第３円筒部２３に挿入されたときに中心導体４の一端部を受け容れる。
【００３４】
キャップ部８２はねじ部８１の一端に結合されている。キャップ部８２は六角ボルト（図示せず）の頭部と同様の形状に形成されている。
【００３５】
同軸コネクタ１は例えば携帯電話（図示せず）の特定の周波数の信号を測定器（図示せず）によって測定するときに用いられる。第１ポート１Ａには携帯電話に接続された同軸ケーブルのプラグコネクタが接続され、第２ポート１Ｂには測定器に接続された同軸ケーブルのプラグコネクタが接続される。
【００３６】
このとき、上述のショートスタブは特定の周波数の信号だけを通過させるバンドパスフィルタとして機能する。スタブの長さＬ（図４参照）を調整することにより、ショートスタブを通過可能な信号の周波数が変化する。
【００３７】
図４はスタブの長さを調整している状態を示す片側断面図、図５は同調周波数とＶＳＷＲとの関係を示すグラフである。図５図中、縦軸はＶＳＷＲを示し、横軸は周波数を示す。
【００３８】
図４に示すように、スタブの長さＬは中心導体４の長さではなく、中心導体４の一端（ソケットコンタクト３との結合部）から調整ねじ７のねじ本体７１の先端面までの長さである。したがって、調整ねじ７の第３円筒部２３内の位置を変化させることにより、スタブの長さＬが変わる。調整ねじ７の第３円筒部２３内の位置を変えるには、調整ねじ７の溝７１ｅにねじ回し９の先端部を挿入し、ねじ回し９を左に回転させたり、右に回転させたりすればよい。このとき、ねじ回し９が中心導体４に接触しないように、ねじ回し９には切欠き９ａが形成されている。
【００３９】
図５に示すように、スタブの長さＬを変化させれば、スタブ周囲の浮遊容量が変化し、スタブを通過可能な中心周波数（同調周波数）がシフトする。
【００４０】
スタブの長さＬの調整が終了したら、固定ねじ８を第３円筒部２３にねじ込み、調整ねじ７に突き当てる。固定ねじ８が調整ねじ７に突き当たると、調整ねじ７の雄ねじ７１ａが第３円筒部２３の雌ねじ２３ａに強く接触する。その結果、調整ねじ７及び固定ねじ８が第３円筒部２３に固定される。
【００４１】
以上のように、この実施形態によれば、スタブの長さＬを容易に調整することができる。
【００４２】
また、調整ねじ７は接触ばね片７２ｂを有するので、中心導体４とより確実に接触する。更に、調整ねじ７は孔７１ｄを有するので、中心導体４に邪魔されることなく、第３円筒部２３内をより広範囲に移動できる。
【００４３】
また、調整ねじ７には第３円筒部２３の雌ねじ２３ａに螺合する雄ねじ７１ａが形成されているので、スタブの長さをより細かく調整することができる。
【００４４】
更に、固定ねじ８を備えているので、スタブの長さＬを調整した後に調整ねじ７の位置をより確実に維持することができる。
【００４５】
図６はこの発明の第２実施形態に係るコネクタの断面図である。
【００４６】
第１実施形態と共通する部分については同一符号を付してその説明を省略する。以下、主な相違部分についてだけ説明する。
【００４７】
図６に示すように、外郭部品２０２は円筒部（外部導体）２２３と座部２２４とを有する。座部２２４はほぼリング状であり、円筒部２２３に結合されている。座部２２４はパネル２１６に固定されている。パネル２１６はアースされている。
【００４８】
中心導体４はパネル２１６に直角に接続されたプリント基板２１５の信号ライン２１５ａから分岐している分岐部２１５ｂに半田付けされている。
【００４９】
第２実施形態は第１実施形態と同様の効果を奏する。
【００５０】
図７はこの発明の第３実施形態に係るコネクタの断面図である。
【００５１】
第１実施形態と共通する部分については同一符号を付してその説明を省略する。以下、主な相違部分についてだけ説明する。
【００５２】
図７に示すように、外郭部品３０２は円筒部（外部導体）３２３と開口部３２４とを有する。開口部３２４はほぼ円筒状であり、円筒部３２３に連接されている。開口部３２４はピン部３２４ａを有し、プリント基板３１５の孔（図示せず）に挿入されて固定されている。また、ピン部３２４ａはプリント基板３１５のグランドパターン（図示せず）に接続されている。
【００５３】
中心導体３０４はＬ字形である。中心導体３０４の一端部はプリント基板３１５のスルーホール（図示せず）に半田付けされている。スルーホールはプリント基板３１５の信号ライン（図示せず）に導通している。中心導体３０４の一端部は開口部３２４に固定された絶縁体３０５によって保持されている。
【００５４】
第３実施形態は第１実施形態と同様の効果を奏する。
【００５５】
図８はこの発明の第４実施形態に係るコネクタの断面図である。
【００５６】
第１実施形態と共通する部分については同一符号を付してその説明を省略する。以下、主な相違部分についてだけ説明する。
【００５７】
図８に示すように、外郭部品４０２は円筒部（外部導体）４２３とケーブル保持部４２４とを有する。ケーブル保持部４２４はパイプ状であり、円筒部４２３に連接されている。ケーブル保持部４２４は同軸ケーブル４１７の一端部を保持している。同軸ケーブル４１７の他端部はコネクタ（図示せず）に結線されている。このコネクタは測定器に接続される。同軸ケーブル４１７のシールド線（図示せず）は外郭部品４０２に導通している。
【００５８】
スタブとして同軸ケーブル４１７の中心導体４０４が用いられている。
【００５９】
第４実施形態は第１実施形態と同様の効果を奏する。
【００６０】
なお、上述の実施形態では、調整ねじ７の雄ねじ７１ａと円筒部２３の雌ねじ２３ａとを螺合させ、調整ねじ７を回転させることにより、調整ねじ７を円筒部２３内で移動させるようにしたが、移動部材をスライド式等で外部導体内を移動できるようにしてもよい。
【００６１】
また、上述の実施形態は、ショートスタブ型のバンドパスフィルタを備えたコネクタの例であるが、この発明のコネクタをショートスタブ型のサージプロテクタを備えたコネクタとしても用いることもできる。
【図面の簡単な説明】
【００６２】
【図１】図１はこの発明の第１実施形態に係るコネクタの片側断面図である。
【図２】図２は図１に示すコネクタを分解した状態の断面図である。
【図３Ａ】図３Ａは図１に示すコネクタの調整ねじの断面図である。
【図３Ｂ】図３Ｂは同調整ねじの背面図である。
【図４】図４はスタブの長さを調整している状態を示す片側断面図である。
【図５】図５は同調周波数とＶＳＷＲとの関係を示すグラフである。
【図６】図６はこの発明の第２実施形態に係るコネクタの断面図である。
【図７】図７はこの発明の第３実施形態に係るコネクタの断面図である。
【図８】図８はこの発明の第４実施形態に係るコネクタの断面図である。
【符号の説明】
【００６３】
１  コネクタ
２３  第３円筒部（外部導体）
２３ａ  雌ねじ
４  中心導体
７  調整ねじ（移動部材）
７１ａ  雄ねじ
７１ｄ  貫通孔
７２ｂ  接触ばね片
８  固定ねじ（固定部材）
８１ａ  雄ねじ
２２３，３２３，４２３  円筒部（外部導体）
【図１】
2008257966.tif 000003
【図２】
2008257966.tif 000004
【図３Ａ】
2008257966.tif 000005
【図３Ｂ】
2008257966.tif 000006
【図４】
2008257966.tif 000007
【図５】
2008257966.tif 000008
【図６】
2008257966.tif 000009
【図７】
2008257966.tif 000010
【図８】
2008257966.tif 000011